(57)【要約】【課題】光走査装置に載置された折り返しミラーの長手方向軸周りの回転方向振動を抑制する。【解決手段】折り返しミラー１０１は、一面に反射面１０１ａを備え、対向面に鏡面１０１ｂを備えた直方体状、又は板状の透光部材を備え、折り返しミラーの長手方向と直交する面に沿った断面形状が、透光材料の鏡面側、又は反射面の一つの角部Ｅ１、又はＥ２をある角度で平坦面状に切除した面取り部１０１ｃを備えた五角形（五辺形）である。【選択図】図３
2017021311.tif 000002
【特許請求の範囲】
【請求項１】
光源と、前記光源から出射された光ビームを走査する光偏向器と、前記光偏向器により偏向走査された光ビームを被走査面に反射する単一若しくは複数の折り返しミラーと、前記光源、前記光偏向器、及び前記折り返しミラーを保持する光学箱と、を備えた光走査装置であって、
前記折り返しミラーは、一面に反射面を備え、対向面に鏡面を備えた直方体状、又は板状の透光部材を備え、
前記折り返しミラーの長手方向と直交する面に沿った断面形状が、前記透光材料の前記鏡面側、又は前記反射面側の一つの角部をある角度で平坦面状に切除した面取り部を備えた五辺形であることを特徴とする光走査装置。
【請求項２】
前記反射面、又は前記鏡面に対する前記面取り部の角度は、前記折り返しミラーが前記光ビームを折り返す反射角度によって決定されることを特徴とする請求項１に記載の光走査装置。
【請求項３】
前記折り返しミラーは、前記反射面、又は、前記鏡面を前記光学箱に設けたミラー支持部の一部により支持されることにより前記反射角度を決定され、かつ、前記面取り部を前記ミラー支持部の他部により支持されることにより位置決めされることを特徴とする請求項１又は２に記載の光走査装置。
【請求項４】
前記反射面、又は前記鏡面に対する前記面取り部の角度を、前記折り返しミラーを前記ミラー支持部に配置したときに、前記面取り部が前記ミラー支持部を支持する前記光学箱の基準面と直交するように設定したことを特徴とする請求項３に記載の光走査装置。
【請求項５】
請求項１乃至４の何れか一項に記載の光走査装置を備えたことを特徴とする画像形成装置。
【発明の詳細な説明】
【技術分野】
【０００１】
本発明は、光走査装置、及びこの光走査装置を用いるレーザープリンタやデジタル複写機等の画像形成装置に関する。
【背景技術】
【０００２】
光走査装置は、電子写真方式の画像形成装置の書き込みユニットとして装備され、レーザービームにより感光体上を走査して光書き込みを行う手段である。
即ち、光走査装置は、画像信号によって変調されたレーザービームを、高速回転する回転多面鏡（ポリゴンミラー）によって偏向走査し、その走査光を折り返しミラー（反射ミラー）で反射させて感光体に照射して画像を形成するものである。折り返しミラーは、光路折り曲げの為に使用される。
折り返しミラーは、光学箱内に配置されたミラー座面によって一面を支持された状態で、その長手方向両端部を板バネ等によって固定されるのが一般である。このミラー座面には、加工精度によっては微小な凹凸が現れることがある。その場合、折り返しミラーが長手方向の軸周りの回転方向に振動することがある。このような振動が発生しやすい周波数帯では、例えばポリゴンミラーの回転起因やギア噛み合い周波数起因の加振力が付与された場合、折り返しミラーに回転振動が励起されてレーザービームの光路が変動するため、出力された画像にこの周波数でバンディングと呼ばれる縞模様が現れ、画像劣化の要因となる。
【０００３】
一般に、画像の可視感度と空間周波数との関係については、人間の視覚系の特性から、空間周波数０．２〜２．０（ｌｉｎｅ／ｍｍ）の範囲の濃度変化が最も目に付きやすくなると言われている。感光体の回転速度や用紙の搬送速度を考え合わせると、数Ｈｚから数百Ｈｚ程度の周波数領域におけるレーザー光の振動を回避、または抑制することが必要である。
そこで、特許文献１では折り返しミラー端部以外の部位に、ミラーの長手方向に移動可能な支持部を設け、加振力となる周波数に応じて支持部を移動して共振を避ける構成を提案している。
また、特許文献２や特許文献３では複数のミラー支持部を設け、折り返しミラーを３点以上で支持することで折り返しミラーの固有振動数を前記周波数帯よりも高くする構成を提案している。
【発明の概要】
【発明が解決しようとする課題】
【０００４】
しかし、特許文献１や、特許文献２、特許文献３の発明では、折り返しミラーの端部以外にも複数の支持部を設けることになるため、構成が複雑になり、大型化する。特に多色の光学部品を一つの光学箱内に収容するものにおいては、この構成をとることで他の色のレーザー光路の妨げとなり、それを回避するためには光学箱を大きくする必要がある。
本発明は上記に鑑みてなされたものであり、折り返しミラーの支持部の数を増加させることによる構成の複雑化、大型化を招くことなく、折り返しミラーの長手方向軸周りの回転振動を抑えることができる光走査装置を提供することにある。
【課題を解決するための手段】
【０００５】
上記本発明の目的を達成するために、本発明の光走査装置は、光源と、前記光源から出射された光ビームを走査する光偏向器と、前記光偏向器により偏向走査された光ビームを被走査面に反射する単一若しくは複数の折り返しミラーと、前記光源、前記光偏向器、及び前記折り返しミラーを保持する光学箱と、を備えた光走査装置であって、前記折り返しミラーは、一面に反射面を備え、対向面に鏡面を備えた直方体状、又は板状の透光部材を備え、前記折り返しミラーの長手方向と直交する面に沿った断面形状が、前記透光材料の前記鏡面側、又は前記反射面側の一つの角部をある角度で平坦面状に切除した面取り部を備えた五辺形（五角形）であることを特徴とする。
【発明の効果】
【０００６】
本発明では、折り返しミラーをその長手方向軸回りの回転振動を抑制するように光学箱に載置することができるため、折り返しミラーの支持部の個数を増加させることなく、折り返しミラーの長手方向軸周りの回転振動を抑えることができる。
【図面の簡単な説明】
【０００７】
【図１】本実施形態における光走査装置の構成を示す上面図である。
【図２】本実施形態に係る折り返しミラーの斜視図である。
【図３】折り返しミラーを第１及び第２第ミラー座面に固定した状態を示した断面図である。
【図４】折り返しミラーの設置角度（θＡ）と面取り部の傾斜角度（θＢ）を一致させない場合の一つの実施形態例を示した断面図である。
【図５】折り返しミラーの設置角度（θＡ）と面取り部の傾斜角度（θＢ）を一致させない場合の他の実施形態例を示した断面図である。
【図６】反射面側の角部に面取り部を設けた構成例に係る折り返しミラーとその支持構造を示した図である。
【図７】図６の折り返しミラーの外観斜視図である。
【図８】本発明の光走査装置を装備した画像形成装置の構成説明図である。
【発明を実施するための形態】
【０００８】
以下、本発明の光走査装置を図面に示した一実施形態に基づいて説明する。
図１は本実施例における光走査装置の構成を示す上面図である。
光走査装置１を構成する光学箱（光学ハウジング）１１は、以下の部品を収容（装備）した構成を備えている。即ち、光学箱１１は、レーザービーム（光ビーム）を出射する光源ユニット（光源）１２、光源ユニット１２からのレーザービームを副走査方向に集光するシリンダレンズ１３、レーザービームを偏向走査する偏向走査ユニット１４（レーザービームを反射するポリゴンミラー１４ａ、ポリゴンミラー１４ａを回転駆動する駆動モータ１４ｂ）、ｆθレンズや面倒れ補正レンズなどからなる走査レンズ１５ａ、１５ｂ、感光体ドラム（被走査面）に照射する前のレーザービームＬ２を反射する光検出ミラー１６、光検出ミラー１６からのレーザービームＬ２を検出する光検出ユニット１７、レーザービームＬ１を反射して感光体に照射する折り返しミラー１０１、折り返しミラー１０１を支持するミラー支持部１０２（ミラー座面１０２ａ、１０２ｂ）、折り返しミラー１０１をミラー座面１０２ａ、１０２ｂの方向に付勢する押圧力をあたえる板バネ１０４ａ、１０４ｂ、を備えている。
なお、本例では光学箱１１の底面（基準面）が水平面であり、この水平な底面上にミラー支持部１０２の水平な底面が支持されている構成を想定している。なお、光学箱の底面は常に水平面と一致するとは限らず、水平面に対して傾斜している場合もある。
【０００９】
図２は本実施例の折り返しミラー１０１の斜視図を示している。
本例に係る折り返しミラー１０１は、略直方体の一つの角部Ｅ１（図３）を平坦面状に面取りした断面形状（端面形状）が五角形（五辺形）の板状体である。即ち、折り返しミラー１０１は、一面に反射膜から成ってレーザービームＬ１を反射する反射面１０１ａを備えると共に、反射面の対向面に鏡面（入射面）１０１ｂを備えた直方体状、又は板状の透光材料（ガラス、樹脂等）から成る透光部材を備え、鏡面１０１ｂ側に位置する一つの角部Ｅ１を長手方向全長に渡って平坦面状、且つ同幅に面取りした面取り部１０１ｃを更に備えている。
面取り部１０１ｃは鏡面１０１ｂに対して角度θで斜めに傾斜した面となっている。
反射面１０１ａ（又は鏡面１０１ｂ）に対する面取り部１０１ｃの角度θは、折り返しミラーが光ビームを折り返す反射角度によって決定される。
折り返しミラー１０１は、板厚が均一な（端面形状が長方形の）透光部材の一端角部を長手方向全長に渡って平坦面状に面取りした構成を備えている。
【００１０】
言い換えれば、本例に係る折り返しミラー１０１を構成する透光部材は、面取り部１０１ｃが形成された部位以外の厚みが均一で、且つ底面から見た形状が長方形となっている。つまり、基本形状が直方体、或いは板状体の透光部材の一面に反射膜を形成して反射面１０１ａとし、反射面１０１ａの対向面である鏡面１０１ｂの一つの角部を斜めに（直線状に）切除した面取り部１０１ｃを設けた構成を有する。
【００１１】
面取り部１０１ｃは、互いに並行な２つの面である反射面１０１ａ、及び鏡面１０１ｂに対して、θＡだけ傾斜した角度で連設された平坦面であり、面取り部１０１ｃはミラー支持部１０２の第２ミラー座面１０２ｂに押し当てられる。面取り部１０１ｃの傾斜角度、及び幅方向寸法は、長手方向全長に渡って一定である。長手方向全長に渡って傾斜角度、幅寸法を一定にすることにより加工手数を低減できると共に、取付け対象部である第２ミラー座面１０２ｂの形状、構造をシンプル化することができる。
つまり、折り返しミラー１０１は、反射面、又は、鏡面を光学箱に設けたミラー支持部１０２の一部（第１ミラー座面１０２ａ）により支持されることにより反射角度を決定され、かつ、面取り部をミラー支持部の他部（第２ミラー座面１０２ｂ）により支持されることにより位置決め（挟圧保持による振動防止）される。
なお、他の部品などとのレイアウトの関係で、必要に応じて折り返しミラーの長手方向の一部のみに面取り部１０１ｃを設けるようにしても良い。具体的には例えば、折り返しミラーの長手方向両端部のみをミラー支持部により支持する場合には、ミラー支持部に対応する部分のみに面取り部を設けても良い。
【００１２】
図３は折り返しミラー１０１を光学箱１１の内部に配置したミラー支持部１０２の第１及び第２ミラー座面１０２ａ、１０２ｂに固定した状態を示している。１０４は板バネであり、ミラー支持部１０２の適所に対してネジ１０５を締め付けることで折り返しミラー１０１の反射面１０１ａを第１ミラー座面１０２ａに、面取り部１０１ｃを第２ミラー座面１０２ｂに夫々押し付ける力を与えている。また、第１ミラー座面１０２ａは折り返しミラー１０１の角度（折り返し角度、反射角度）を決めており、その光学箱１１の底面に対する角度はθＡであり、ミラー面取り部１０１ｃの鏡面１０１ｂに対する角度と同じである。
即ち、折り返しミラー１０１は、反射面１０１ａを光学箱に設けた第１ミラー座面１０２ａ（ミラー支持部の一部）に押し当てて反射角度を決定し、かつ、面取り部１０１ｃをミラー支持部の他部である第２ミラー座面１０２ｂに押し当てて位置決めする。折り返しミラー１０１の背面（鏡面）１０１ｂは板バネ１０４によって反射面１０１ａに向けて付勢されることにより、第１ミラー座面１０２ａとの間で挟持され、折り返しミラーの厚さ方向への変位を抑制される。
【００１３】
本例に係るミラー支持部１０２は例えば所定の剛性を備えた樹脂材料、或いは金属材料から構成した全体形状が略直方体状のブロックであり、折り返しミラー１０１の反射面１０１ａ（長手方向両端部）を面接触状態で支持する第１ミラー座面１０２ａと、面取り部１０１ｃを面接触状態で支持する第２ミラー座面１０２ｂと、を備えている。第１ミラー座面１０２ａはミラー支持部１０２の上面１０２Ｔの一部をその底面１０２Ｂ（上面１０２Ｔ）に対する角度がθＡとなるように凹状に傾斜させて加工したものであり、第１ミラー座面１０２ａの下端縁からは凹所１０３が連設されている。第１ミラー座面１０２ａと対向する凹所１０３の内壁面は第２ミラー座面１０２ｂとなっている。第２ミラー座面１０２ｂは、ミラー支持部１０２の底面１０２Ｂ、及び上面１０２Ｔと直交する壁面であり、折り返しミラーの面取り部１０１ｃと面接触状態で密着する。即ち、反射面１０１ａ、及び鏡面１０１ｂに対する面取り部１０１ｃの傾斜角度を、ミラー支持部１０２の底面１０２Ｂ（光学箱の底面１１Ｂ）に対する反射面１０１ａの設置角度θＡと一致させることにより、図示のようにミラー支持部１０２に対して折り返しミラー１０１を組み付けた時に、面取り部１０１ｃの水平面（ミラー支持部の底面１０２Ｂ）に対する角度が直交状態（垂直）となる。
【００１４】
つまり、折り返しミラーは反射面１０１ａを第１ミラー座面１０２ａにより面接触状態で支持されると共に、その幅方向下端部（一つの角部）を凹所１０３内に嵌合させつつ（入り込ませつつ）、面取り部１０１ｃを第２ミラー座面１０２ｂに面接触させている。この状態では、折り返しミラーは両座面によって挟圧保持され、振動が封じられた状態にある。
【００１５】
反射面１０１ａの大半の部分を第１ミラー座面１０２ａにより支持しつつ、下方の他方の角部Ｅ２を凹所（収容空間）１０３内に嵌合させることにより、面取り部１０１ｃを第２ミラー座面１０２ｂによって支持することを可能にしている。また、面取り部１０１ｃの上端部と第２ミラー座面１０２ｂの上端部とが一致するように寸法設定することにより、鏡面１０１ｂに第２ミラー座面が干渉（遮蔽）することを防止している。なお、面取り部１０１ｃの上端部よりも、第２ミラー座面１０２ｂの上端部が下方に位置ずれするようにしてもよい。
なお、光学箱１１の底面（基準面）１１Ｂが水平面と一致していない場合、即ち光学箱の底面が水平面に対して傾斜している場合にはミラー支持部の底面１０２Ｂは水平とはならない。この場合、ミラー支持部１０２に組み付けられた折り返しミラーの面取り部１０１ｃはミラー支持部の底面１０２Ｂに対して直交した状態となるが、水平面に対して直交した状態とはならない。
【００１６】
板バネ１０４は、一端をネジ１０５によってミラー支持部の上面１０２Ｔに固定されると共に他端部によって折り返しミラーの面取り部とは反対側の端面と、鏡面１０１ｂの長手方向両端部を押さえる。つまり、反射面を第１ミラー座面により支持され、面取り部を第２ミラー座面により支持された折り返しミラーの支持されていない他の部位を、板バネ１０４によって弾性的に支持することにより折り返しミラーの位置ずれ、振動を防止している。
【００１７】
この構成によれば、ミラー座面１０２ａに凹凸があった場合でも、折り返しミラー１０１の長手軸周りの回転方向Ｒへの振動を、第２ミラー座面１０２ｂがθＡの角度で物理的に抑制することになり、回転方向Ｒの振動が少ない光走査装置を提供できる。言い換えれば、第２ミラー座面１０２ｂの存在により、各座面と折り返しミラーとの接触面積をより広く確保することが可能となるため、折り返しミラーの回転方向Ｒへの振動を抑制することが可能となる。
なお、長手軸周りの回転方向Ｒとは、折り返しミラーの最も面積の小さい２つの側端面１０１Ｓの中心部に沿って長手方向へ延びる軸Ａを中心とした回転方向Ｒを意味する。
【００１８】
また、設置角度の違う複数の折り返しミラーを有する場合、そのミラー角度に合わせた角度で加工すればよい。即ち、各折り返しミラーに設ける面取り部１０１ｃの角度θＡは、個々の折り返しミラーの設置角度（光ビームを折り返す角度）によって決定される。本実施形態では、折り返しミラーの左側からレーザービームＬ１を、左斜め下側に折り返す構成の場合の例示である。例えば、上下を反転させると、左側からのレーザービームＬ１を、左斜め上側に折り返すことも可能である。このように、レーザービームの方向と、折り返しミラーの配置により、任意の方向にレーザービームを折り返しすることができる。
なお、上記実施形態において光学箱の底面（基準面）１１Ｂと反射面１０１ａ（鏡面１０１ｂ）との角度θＡ（折り返しミラーの設置角度）と、面取り部の角度θＡとを一致させているのは、光学箱１１の加工手数を低減させるための一例に過ぎない。つまり、ミラー支持部の底面１０２Ｂに対する反射面１０１ａ、又は鏡面１０１ｂの角度を、折り返しミラーの光学箱底面１１Ｂに対する設置角度と等しくすることで、面取り部１０１ｃが押し当てられる第２ミラー座面１０２ｂを光学箱底面と直交させることができ、ミラー支持部の加工が容易になる。
従って、ミラー支持部の加工容易性を考慮しないのであれば、面取り部１０１ｃの角度はθＡ以外の角度であっても良い。
つまり、上記実施形態では折り返しミラー１０１の設置角度θＡと、面取り部１０１ｃの傾斜角度θＡとを同等としたが、矢印Ｒ方向の回転振動を抑制するように面取り部１０１ｃを他の角度で形成することも可能である。
【００１９】
図４は折り返しミラーの設置角度（θＡ）と面取り部の傾斜角度（θＢ）を一致させない場合の一つの実施例であり、折り返しミラーの設置角度（θＡ）よりも面取り部の傾斜角度（θＢ）の方が小さい構成例（θＡ＞θＢ）を示している。
折り返しミラーの設置角度（θＡ）よりも面取り部の傾斜角度（θＢ）の方を小さくした場合には、矢印Ｒ方向の回転振動を抑制する効果は大きくなるが、一つのミラー支持部１０２を構成する第１ミラー座面１０２ａの底面１０２Ｂに対する角度θＡと、第２ミラー座面１０２ｂの鏡面１０１ｂに対する角度θＢが異なるため、加工が難しくなる。つまり、第２ミラー座面１０２ｂを形成するために凹所１０３の内壁を略Ｌ字状に削った構成とする必要があるため、加工手数が増大する。射出成形によりミラー支持部を成形する場合には、凹所状の第２ミラー座面１０２ｂがアンダーカットとなって型開き時の障害となる。
【００２０】
次に、図５は折り返しミラーの設置角度（θＡ）と面取り部の傾斜角度（θＢ）を一致させない場合の他の実施例であり、折り返しミラーの設置角度（θＡ）よりも面取り部の傾斜角度（θＢ）の方が大きい構成例（θＡ＜θＢ）を示している。
折り返しミラーの設置角度（θＡ）よりも面取り部の傾斜角度（θＢ）の方を大きくした場合には、一つのミラー支持部１０２を構成する第１ミラー座面１０２ａの底面１０２Ｂに対する角度θＡと、第２ミラー座面１０２ｂの鏡面１０１ｂに対する角度θＢが異なるが、第２ミラー座面１０２ｂはアンダーカットとならないため、製造、加工が容易である。ただ、第２ミラー座面が矢印Ｒ方向の回転振動を抑制する効果は小さくなる。
【００２１】
また、上記の各実施形態では反射面１０１ａと対向する鏡面１０１ｂ側の角部Ｅ１に面取り部１０１ｃを形成しているが、レーザービームＬ１の光路を遮らない範囲で反射面１０１ａ側の角部Ｅ２に面取り部１０１ｃを形成してもよい。
即ち、図６は反射面側の角部に面取り部を設けた構成例に係る折り返しミラーとその支持構造を示しており、図７はこの折り返しミラーの外観斜視図を示している。ここで、先の例示と異なる点は、まずレーザービームの方向が異なる方向から来るものとして例示する。
この場合には、ミラー支持部１０２を、レーザービームＬ３の光路を回避した折り返しミラーの長手方向両端部のみに部分的に配置することになる。つまり、レーザービームＬ３はミラー支持部１０２が存在しない折り返しミラーの反射面１０１ａから進入して反射することになり、上記実施形態とはレーザービームの導入方向と、反射方向が逆方向となる。つまり、折り返しミラー１０１の右側から来るレーザービームを、右上方向に反射させることができる。
【００２２】
このように折り返しミラーの用途（レーザービームの反射方向）の違いに応じて反射面１０１ａの角部Ｅ２に面取り部１０１ｃを形成しつつ、長手軸Ｒ周りの回転方向の振動を、第２ミラー座面１０２ｂが物理的に抑制することになり、回転方向Ｒの振動が少ない光走査装置を提供できることとなる。
この場合には、面取り部１０１ｃをミラー支持部１０２と対応する位置のみに設けるようにしてもよい。このように、折り返しミラーの配置を考慮することで、レーザービームの反射方向を制御することができる。
【００２３】
次に、図８は上記の光走査装置を用いた画像形成装置の一例の全体構成説明図である。
電子写真装置である画像形成装置２００は、各色の画像形成ユニット１１０、１２０、１３０、１４０を中間転写ベルト１５１上に配置し、中間転写ベルト１５１上にトナーによるカラー像を形成し、そのカラー像を給紙装置１７０から搬送される用紙１７１に転写し、定着装置１６０で熱と圧力でトナーを溶融定着してカラー画像を形成する。画像形成ユニット１１０、１２０、１３０、１４０は４式あり、それぞれ、黒色トナーを有するＫ現像ユニット１１０、シアン色トナーを有するＣ現像ユニット１２０、マゼンタ色トナーを有するＭ現像ユニット１３０、イエロー色トナーを有するＹ現像ユニット１４０である。そして、例えば画像形成ユニット１１０は、トナーを貯めるトナーホッパ、トナー層を形成し感光体ドラム１１１にトナーを接触させる現像ローラを含む現像装置１１４、感光体ドラム１１１上をクリーニングするドラムクリーナ１１５、感光体ドラム１１１上を帯電させる帯電装置１１２、感光体ドラム１１１上に静電潜像を書き込む光走査装置１１３（１）で構成されている。画像形成ユニット１１０に含まれる上記のトナーホッパ、現像ローラ、ドラムクリーナ１１５、帯電装置１１２などは図示しないフレームに取り付けられ、画像形成装置２００本体から引き出し可能に構成されている。光走査装置１１３には、上記実施形態で説明したミラー支持部１０２によって支持された折り返しミラー１０１が用いられている。
【００２４】
中間転写ベルト１５１は、複数のローラに張架され、二次転写ローラ１５０で搬送される。ベルトクリーナ１５２は中間転写ベルト１５１上の残留トナーを除去する。一次転写ローラは、感光体ドラム１１１などに対向して中間転写ベルト１５１内側に感光体ドラム１１１等に対向して配置される。
用紙１７１は、堆積する給紙装置１７０からピックローラーで引き出され、分離ローラを経て、二次転写ローラ１５０とその対向ローラにより押し付けられながら中間転写ベルト１５１と接触して画像を転写され、搬送ベルトを介して定着装置１６０へ至る。
【００２５】
定着装置１６０は、バックアップローラ１６３、弾性ローラ１６２、加熱ローラ、定着ベルト１６１などを有する。定着ベルト１６１は、弾性ローラ１６２と加熱ローラに掛け渡され、加熱ローラあるいは他のローラの回転により搬送される。用紙はバックアップローラ１６３により弾性ローラ１６２側に押し付けられる。加熱ローラは、金属の中空シャフト内にハロゲンヒータ等の加熱手段を有し、定着ベルト１６１を加熱する。弾性ローラ１６２表面は、シリコンゴムなどの弾性材で形成され、バックアップローラ１６３の押し付けにより、ニップ部を弾性ローラ１６２側に凸とし、用紙１７１が定着ベルト１６１に巻きつくのを防止する。
画像を形成する場合、感光体ドラム１１１上を帯電装置１１２で帯電させ、光走査装置１１３で画像に応じたレーザービームをあてて、感光体ドラム１１１上の電位を落とす。その部位が感光体ドラム１の回転により、現像装置１１４に達し、現像装置１１４上のトナー層と接すると帯電しているトナーが画像位置に付着する。
【００２６】
感光体ドラム１１１上のトナー画像は、一次転写ローラが中間転写ベルト１５１を感光体ドラム１１１に向かって押し付ける部位で、中間転写ベルト１５１上に転写される。各画像形成ユニット１１０、１２０、１３０、１４０の感光体ドラム１１１上のトナー画像は、中間転写ベルト１５１上に転写され、カラーのトナー画像が形成される。そして、中間転写ベルト１５１の搬送により、二次転写ローラ１５０の部位で搬送されてきた用紙１７１上にトナー画像は転写される。トナー画像が転写された用紙１７１は、搬送ベルトにより定着装置１６０に搬送され、熱と圧力により、トナーが溶融定着されカラー画像が形成される。
【００２７】
以上述べた本実施例の画像形成装置では、光走査装置１１３（１）における折り返しミラー１０１の長手方向軸周りの回転振動が抑制されるため、バンディングや色ずれの少ない画像形成装置が提供できる。
【００２８】
＜本発明の構成、作用、効果のまとめ＞
第１の本発明に係る光走査装置１は、光源１２と、光源から出射された光ビームを走査する光偏向器１４と、光偏向器により偏向走査された光ビームを被走査面１１１に反射する単一若しくは複数の折り返しミラー１０１と、光源、光偏向器、及び折り返しミラーを保持する光学箱１１と、を備え、折り返しミラーは、一面に反射面１０１ａを備え、対向面に鏡面１０１ｂを備えた直方体状、又は板状の透光部材を備える。更に、折り返しミラーの長手方向と直交する面に沿った断面形状が、透光材料の鏡面側、又は反射面の一つの角部Ｅ１、又はＥ２をある角度で平坦面状に切除した面取り部１０１ｃを備えた五角形（五辺形）であることを特徴とする。
【００２９】
折り返しミラーの一角を切除して面取り部とすることにより折り返しミラーの端面形状を五角形、或いは五辺形とした。このため、反射面（鏡面）の他に面取り部をもミラー座面によって支持することが可能となる。このため、回転方向の振動を物理的に抑制することが可能となる。
折り返しミラーの鏡面側にミラー座面を設ける場合には、折り返しミラーの反射面側全面をミラー支持部によって挟圧保持しながら支持することができるため、支持安定性を高めて振動を防止することができる。
折り返しミラーの反射面側に面取り部を設ける場合には、折り返しミラーの長手方向両端部をミラー支持部によって支持することとなるが、鏡面側と面取り部を同時にミラー座面によって挟み込んで支持するので回転方向の振動を効率的に抑制することが可能となる。
つまり、本発明では、折り返しミラーをその長手方向軸回りの回転振動を抑制するように光学箱に載置することができるため、ミラー支持部の個数を増加させることなく、折り返しミラーの長手方向軸周りの回転振動を抑えることができる。
【００３０】
第２の本発明に係る光走査装置は、反射面１０１ａ、又は鏡面１０１ｂに対する折り返しミラーの面取り部１０１ｃの角度は、折り返しミラーが光ビームを折り返す反射角度によって決定されることを特徴とする。
折り返しミラーの設置角度、つまり光ビームを反射する角度に応じて反射面１０１ａ、又は鏡面１０１ｂに対する折り返しミラーの面取り部１０１ｃの角度を決定することにより、回転方向の振動を効率的に抑制する面取り部の角度を得ることができる。
【００３１】
第３の本発明に係る光走査装置では、折り返しミラーは、反射面、又は、鏡面を光学箱に設けたミラー支持部１０２の一部により支持されることにより反射角度を決定され、かつ、前記面取り部を前記ミラー支持部の他部により支持されることにより位置決めされることを特徴とする。
ミラー支持部には、反射面１０１ａ、又は、鏡面１０１ｂを支持する第１ミラー座面１０２ａと、面取り部を支持する第２ミラー座面１０２ｂが設けられており、折り返しミラーを挟圧しつつ保持、位置決めすることができる。このため、回転方向の振動を効率的に抑制することが可能となる。
【００３２】
第４の本発明に係る光走査装置では、反射面、又は鏡面に対する面取り部の角度を、折り返しミラーをミラー支持部に配置したときに、面取り部がミラー支持部を支持する光学箱の基準面１１Ｂと直交するように設定したことを特徴とする。
光学箱の底面（基準面）１１Ｂに対する反射面１０１ａ（鏡面１０１ｂ）の角度θＡ（折り返しミラーの設置角度）と、面取り部の角度θＡとを一致させることにより、面取り部を光学箱の基準面１１Ｂと直交させることができる。このように構成することにより、光学箱１１（ミラー支持部）の加工手数を低減させることができる。
【００３３】
第５の本発明に係る画像形成装置は、請求項１乃至４の何れか一項に記載の光走査装置を備えたので、折り返しミラーの振動によるバンディングや色ずれの機差を小さくでき、画質を向上させることができる。
【符号の説明】
【００３４】
１…光走査装置、１１…光学箱、１１Ｂ…光学箱底面（基準面）、１２…光源、１３…シリンダレンズ、１４…光偏向器（偏向走査ユニット）、１４ａ…ポリゴンミラー、１４ｂ…駆動モータ、１６…光検出ミラー、１７…光検出ユニット、１０１…ミラー、１０１Ｓ…側端面、１０１ａ…反射面、１０１ｂ…鏡面、１０１ｃ…面取り部、１０２…ミラー支持部、１０２Ｂ…底面、１０２Ｔ…上面、１０２ａ…第１ミラー座面、１０２ｂ…第２ミラー座面、１０３…凹所、１０４…板バネ、１０５…ネジ、１１０…画像形成ユニット、１１１…感光体ドラム、１１１…被走査面、１１２…帯電装置、１１３…光走査装置、１１４…現像装置、１１５…ドラムクリーナ、１２０…Ｃ現像ユニット、１３０…Ｍ現像ユニット、１４…、１４０…Ｙ現像ユニット、１５０…二次転写ローラ、１５１…中間転写ベルト、１５２…ベルトクリーナ、１６０…定着装置、１６１…定着ベルト、１６２…弾性ローラ、１６３…バックアップローラ、１７０…給紙装置、１７１…用紙、２００…画像形成装置
【先行技術文献】
【特許文献】
【００３５】
【特許文献１】特開２００６−１８４５４８公報
【特許文献２】特開平１０−２２１６２７号公報
【特許文献３】特許第３６４９９３４号
【図１】
2017021311.tif 000003
【図２】
2017021311.tif 000004
【図３】
2017021311.tif 000005
【図４】
2017021311.tif 000006
【図５】
2017021311.tif 000007
【図６】
2017021311.tif 000008
【図７】
2017021311.tif 000009
【図８】
2017021311.tif 000010